(57)【要約】【課題】  岸壁からロープにより船を容易に固定することができ、また、釣竿を釣りに相応しい位置に保持することができるサイドフロート装置を提供する。【解決手段】  船体１２の左右の舷側１４、１５にそれぞれ取り外し可能に取付けられ、船体１２の横転を防止し、かつ、船体１２の補助の浮力体となるフロート本体２０を有するサイドフロート装置において、船体１２との連結具を有すると共に、対となるフロート本体２０の少なくとも一方の上部には、竿掛５４を装着可能で、クリートとして使用可能な係止具５５が設けられている。【選択図】        図１
0003114619.tif 000002
【実用新案登録請求の範囲】
【請求項１】
船体の左右の舷側にそれぞれ取り外し可能に取付けられ、前記船体の横転を防止し、かつ、前記船体の補助の浮力体となるフロート本体を有するサイドフロート装置において、
前記船体との連結具を有すると共に、対となる前記フロート本体の少なくとも一方の上部には、竿掛を装着可能で、クリートとして使用可能な係止具が設けられていることを特徴とするサイドフロート装置。
【請求項２】
請求項１記載のサイドフロート装置において、前記係止具はゴム材又は耐蝕性金属からなって、前記竿掛の下端に設けられた凹状の嵌入部に嵌入可能な直方体状の嵌入ブロックと、該嵌入ブロックの下面に一体的に設けられた取付板とを備え、前記嵌入ブロックにはロープが挿通可能な貫通孔が形成されていることを特徴とするサイドフロート装置。
【請求項３】
請求項１及び２のいずれか１項に記載のサイドフロート装置において、前記フロート本体には、人の手が把持可能な掴み部が設けられていることを特徴とするサイドフロート装置。
【請求項４】
請求項１〜３のいずれか１項に記載のサイドフロート装置において、前記フロート本体の先部は円錐台形状に形成されて先側に縮径し、前記先部に接続された胴部及び該胴部に接続された後部は同じ大きさの筒状に形成されていることを特徴とするサイドフロート装置。
【請求項５】
請求項１〜４のいずれか１項に記載のサイドフロート装置において、前記フロート本体は耐摩耗性及び耐水性を有する軟質シート材を主体とし、内部に気体を充填可能に構成されていることを特徴とするサイドフロート装置。
【請求項６】
請求項１〜４のいずれか１項に記載のサイドフロート装置において、前記フロート本体はゴム材又はプラスチックを主体として構成されていることを特徴とするサイドフロート装置。
【考案の詳細な説明】
【技術分野】
【０００１】
本考案は、ボート本体等の船体の左右の舷側に取付けられ、船体の横転を防止し、船体の補助の浮力体として使用される対となるフロート本体を有するサイドフロート装置に関する。
【背景技術】
【０００２】
釣り等に使用する小型のボートは、釣り人の動きによってバランスが崩れて不安定となり、ボートが横転して釣り人が海に投げ出されて溺れるのを防ぐため、また、万一、ボートが沈没する時の浮力体として使用するために、ボート本体の左右の舷側にそれぞれ取り外し可能に取付けられた対となるフロート本体を備えたサイドフロート装置が設けられている（例えば、特許文献１参照）。
【０００３】
【特許文献１】実用新案登録第３０９５７７６号公報（図１）
【考案の開示】
【考案が解決しようとする課題】
【０００４】
しかしながら、従来のサイドフロート装置においては、未だ解決すべき以下のような問題があった。
ボートが着岸した際、岸壁からロープによりボートを固定する場合、ロープの係止具がフロート本体に取付けられておらず、ボート本体に設けられた係止具を介して固定するため、作業に手間を要した。
また、フロート本体には、釣り人が釣竿を置くための竿掛が取付けられていないので、釣竿を釣りに相応しい位置に保持することができず、これによって、良い釣果を得ることができなかった。
【０００５】
本考案はかかる事情に鑑みてなされたもので、岸壁からロープにより船を容易に固定することができ、また、釣竿を釣りに相応しい位置に保持することができるサイドフロート装置を提供することを目的とする。
【課題を解決するための手段】
【０００６】
前記目的に沿う本考案に係るサイドフロート装置は、船体の左右の舷側にそれぞれ取り外し可能に取付けられ、前記船体の横転を防止し、かつ、前記船体の補助の浮力体となるフロート本体を有するサイドフロート装置において、前記船体との連結具を有すると共に、対となる前記フロート本体の少なくとも一方の上部には、竿掛を装着可能で、クリートとして使用可能な係止具が設けられている。
【０００７】
本考案に係るサイドフロート装置において、前記係止具はゴム材（軟質又は硬質）あるいは耐蝕性金属（例えば、ステンレス）からなって、前記竿掛の下端に設けられた凹状の嵌入部が嵌入可能な直方体状の嵌入ブロックと、該嵌入ブロックの下面に一体的に設けられた取付板とを備え、前記嵌入ブロックにはロープが挿通可能な貫通孔が形成されてもよい。
本考案に係るサイドフロート装置において、前記フロート本体には、人の手が把持可能な掴み部が設けられてもよい。
本考案に係るサイドフロート装置において、前記フロート本体の先部は円錐台形状に形成されて先側に縮径し、前記先部に接続された胴部及び該胴部に接続された後部は同じ大きさの筒状に形成されてもよい。
【０００８】
本考案に係るサイドフロート装置において、前記フロート本体は耐摩耗性及び耐水性を有する軟質シート材（ゴム材又はプラスチック）を主体とし、内部に気体を充填可能に構成されてもよい。
本考案に係るサイドフロート装置において、前記フロート本体はゴム材又はプラスチックを主体として構成することができる。
【考案の効果】
【０００９】
請求項１〜６記載のサイドフロート装置においては、船体との連結具を有すると共に、対となるフロート本体の少なくとも一方の上部には、竿掛を装着可能で、クリートとして使用可能な係止具が設けられているので、サイドフロート装置を船体に確実に固定することができ、しかも、釣竿を釣りに相応しい位置に保持することができ、これにより、良い釣果が得られ、また、岸壁からロープを固定する作業が容易にできる。
【００１０】
特に、請求項２記載のサイドフロート装置においては、係止具はゴム材又は耐蝕性金属からなって、竿掛の下端に設けられた凹状の嵌入部が嵌入可能な直方体状の嵌入ブロックと、嵌入ブロックの下面に一体的に設けられた取付板とを備えているので、竿掛の係止具への取付け及び係止具からの取外しが容易に行え、また、嵌入ブロックにはロープが挿通可能な貫通孔が形成されているので、ロープにより確実に固定できる。
請求項３記載のサイドフロート装置においては、フロート本体には、人の手が把持可能な掴み部を設けているので、例えば、釣り人が掴み部を手で握って水中から船に上がることができる。
【００１１】
請求項４記載のサイドフロート装置においては、フロート本体の先部は円錐台形状に形成されて先側に縮径し、先部に接続された胴部及び胴部に接続された後部は同じ大きさの筒状に形成されているので、船が傾いても、後部が円錐台形状に形成されて後ろ側に縮径している場合に比較して、水から受ける浮力が大きくなるため、船の横転に対する安定性が増す。
【００１２】
請求項５記載のサイドフロート装置においては、フロート本体は耐摩耗性及び耐水性を有する軟質シート材を主体とし、内部に気体を充填可能に構成されているので、不使用時にはフロート本体を小体積にすることができ、搬送及び保管が容易となる。
請求項６記載のサイドフロート装置においては、フロート本体はプラスチック又はゴム材を主体として構成されているので、軽量で、かつ、強度が大きい。
【考案を実施するための最良の形態】
【００１３】
続いて、添付した図面を参照しつつ、本考案を具体化した実施の形態につき説明し、本考案の理解に供する。
ここで、図１は本考案の一実施の形態に係るサイドフロート装置を取付けたボートの斜視図、図２（Ａ）、（Ｂ）はそれぞれ、同サイドフロート装置の正面図、平面図、図３（Ａ）、（Ｂ）はそれぞれ、同サイドフロート装置を取付けたボートの正面図、平面図、図４は同サイドフロート装置とボート本体との連結部の説明図、図５は同サイドフロート装置の係止具の斜視図、図６は同サイドフロート装置の係止具に装着される竿掛の斜視図である。
【００１４】
図１〜図４に示すように、本考案の一実施の形態に係るサイドフロート装置は、船体の一例であるボート本体１２の左右の舷側１４、１５にそれぞれ取り外し可能に取付けられたサイドフロート１０、１１を備えている。そして、ボート本体１２と、ボート本体１２に取付けられたサイドフロート装置とを有するボート１３は、例えば、魚釣り等に使用される小型のレジャーボートである。なお、ボート本体１２とは、人が乗り込むことができ、人が舵やスクリューを操作して、水面上を移動及び停止可能に構成されたものを表している。
【００１５】
ボート本体１２の左右の舷側１４、１５には、それぞれ３個の取付け金具１６、１７が取付けられ、取付け金具１６、１７には、サイドフロート１０、１１をボート本体１２に固定するバンド部材１８、１９が装着される。以下、それぞれについて詳しく説明する。なお、サイドフロート１１はサイドフロート１０と勝手違いに構成されており、その構造はサイドフロート１０と実質的に同じであるので、同一の構成要素には同一の番号を付して詳しい説明は省略する。
【００１６】
図２（Ａ）、（Ｂ）及び図４に示すように、サイドフロート１０は、ボート本体１２の横転を防止し、かつ、ボート本体１２の補助の浮力体となり、耐摩耗性及び耐水性を有する軟質シート材の一例であるハイパロンを主体とし、内部に気体が充填可能な実質的に筒状のフロート本体２０を有している。フロート本体２０には、ボート本体１２の舷側１４に配設された取付け金具１６に装着されるバンド部材１８を通す挿通孔２１を備えたバンド固定具２２が、長さ方向に間隔をあけて複数個（実施の形態では、３個）設けられている。
【００１７】
図１、図３（Ａ）、（Ｂ）及び図４に示すように、バンド固定具２２は、サイドフロート１０をボート本体１２に取付けたときに、ボート本体１２の舷側１４とは反対側に並べて配置されている。
【００１８】
図１〜図４に示すように、フロート本体２０の船首側及び船尾側の上部には、ボート本体１２の舷側１４の船首側及び船尾側に設けられ、ロープ取付け具５１にその一端がそれぞれ固定されたロープ２３、２４の他端を固定するロープ固定具２５が設けられている。ロープ固定具２５は、ロープ２３、２４を保持する矩形状のリング部材２５ａと、リング部材２５ａの下側の一辺を保持すると共に、フロート本体２０にバックアップ材２５ｂを介して固定された直方体状の取付ブロック２５ｃとを有している。
【００１９】
図２（Ａ）、（Ｂ）に示すように、フロート本体２０の後端面には、注入口２６が設けられており、注入口２６からフロート本体２０内部へ気体を注入し、また、フロート本体２０内部の気体を注入口２６から排出することができるようになっている。フロート本体２０の先部（首部）は、円錐台形状に形成されて先側に縮径している。なお、先部に接続された胴部（中間部）の断面形状は胴部に接続された後部（尾部）と同一に形成されており、筒状に形成されている。後部を胴部と同一に形成することによって、フロート本体２０に働く浮力を増すことができる。
【００２０】
ボート１３の走行中に、サイドフロート１０の先端が水面に当たらないように、フロート本体２０の船首側の端部は、上向きに勾配が設けられている。また、フロート本体２０の両端部には、ボート１３の走行中等に、岩や木等がサイドフロート１０に衝突してフロート本体２０の破損、破裂を防止するために、金属板製の保護部材２７、２８が設けられている。
【００２１】
図４に示すように、取付け金具１６は、ボート本体１２の舷側１４に当接する矩形板状の取付けベース２９と、取付けベース２９の水平方向両端部に間隔をあけて対向して立設された矩形板状の補強リブ３０とを備えている。更に、取付けベース２９の上端部には、バンド部材１８を通すバンド挿通部３１を有する外形が矩形状のリング部材３２が設けられている。一方、取付けベース２９の下端部には、対向して配置された補強リブ３０の下端部内側を連結すると共に補強リブ３０より水平方向外側に突出した矩形状の取付け板３３が設けられており、取付け板３３の先側を介してバンド部材１８を通すバンド挿通部３４を有する外形が矩形状のリング部材３５が取付けられている。
【００２２】
取付けベース２９、補強リブ３０、取付け板３３及びリング部材３２、３５はステンレス材で形成されている。また、取付けベース２９には、複数個、例えば、６個の取付け孔３６が設けられており、取付け金具１６は、取付け孔３６に挿入したボルト３７によってボート本体１２に取付けられている。取付け金具１６をボート本体１２に取付けた状態では、下端部のリング部材３５は上端部のリング部材３２よりも水平方向外側にあり、バンド挿通部３４の中心位置はバンド挿通部３１の中心位置よりボート本体１２からの距離が遠くなる。
【００２３】
図４に示すように、バンド部材１８は、ステンレス製の帯板状のバンド本体３８と、バンド本体３８の両端部にそれぞれ設けられ、取り外し可能に係合する一対の連結金具３９、４０とを有している。連結金具３９は、錠軸（図示せず）を軸にして回転自在に取付けられたレバー４１と、レバー４１の略中央に設けられたレバー軸（図示せず）に回転自在にレバー４１に取付けられた矩形でリング状のジョイント４２とを有している。一方、連結金具４０には、連結金具３９のジョイント４２の先端部と噛み合う鉤状のフック４３が設けられている。
【００２４】
かかる構成により、レバー４１をバンド本体３８に対して実質的に垂直に起こして、更に９０度以上開いた状態で、連結金具３９のジョイント４２の先端部を連結金具４０のフック４３に噛み合わせ、レバー４１をバンド本体３８に対して実質的に平行に倒すことによって、連結金具３９、４０が係合し、係合部４４が形成され、バンド部材１８はリング状となる。なお、この係合によって形成されるバンド部材１８の内径は、サイドフロート１０の外径と実質的に等しく形成されている。
【００２５】
図４に示すように、バンド部材１８を、取付け金具１６のリング部材３２、３５のバンド挿通部３１、３４及びサイドフロート１０のバンド固定具２２の挿通孔２１に通した後、連結金具３９、４０を係合することにより、サイドフロート１０を取付け金具１６を介してボート本体１２に固定することができる。
【００２６】
図３（Ａ）、（Ｂ）に示すように、左右の舷側１４、１５にそれぞれサイドフロート１０、１１が取り外し可能に取付けられるボート本体１２は、外側面に左右の舷側１４、１５を備えた側板４５、４６を有している。ボート本体１２の後部には、スクリュー４７、スクリュー４７の上方に配置された舵４８及び舵４８の上方に配置されスクリュー４７を回転駆動するエンジン４９が取付けられている。ボート本体１２の中央部には、釣り人５２が乗り込む船室５０が設けられている。
【００２７】
また、ボート本体１２の左右の側板４５、４６の船首側及び船尾側にはそれぞれ、サイドフロート１０、１１を固定するロープ２３、２４を取付けるロープ取付け具５１が設けられている。ロープ取付け具５１は半円弧状に形成されている。なお、取付け金具１６、１７、バンド部材１８、１９、バンド固定具２２、ロープ２３、２４及びロープ固定具２５を備えてサイドフロート１０のボート本体１２への連結具が構成されている。
【００２８】
図１、図２（Ａ）、（Ｂ）、図５及び図６に示すように、サイドフロート１０、１１のフロート本体２０前側の隣合うバンド部材１８間の上部には、釣り人５２が魚を釣るとき、釣竿５３を受ける竿掛５４を装着可能で、しかも、クリートとして使用可能な係止具５５が設けられている。ただし、サイドフロート１０には、竿掛５４が装着されていない状態を示す。
【００２９】
図５及び図６に示すように、係止具５５はゴム材からなって、直方体状の嵌入ブロック５６と、嵌入ブロック５６の下面に一体的に設けられ、接着剤によりフロート本体２０の上面に固定された取付板５７とを備えており、嵌入ブロック５６にはロープが挿通可能な貫通孔５８が形成されている。嵌入ブロック５６の貫通孔５８はボート１３が岸壁に着岸した際、岸壁からロープによりボート１３を固定する場合に使用する。なお、係止具を耐蝕性金属で形成することもできる。
【００３０】
図６に示すように、竿掛５４は、釣竿５３を載置可能なＹ字状に形成された本体部５９と、本体部５９の下端に設けられ、下端が開口し凹状の嵌入部６０が形成された直方体状の装着部６１とを有している。かかる構成により、竿掛５４の嵌入部６０に係止具５５の嵌入ブロック５６を嵌入することによって、竿掛５４を係止具５５に装着することができる。
【００３１】
図１、図２（Ａ）、（Ｂ）に示すように、また、サイドフロート１０、１１のフロート本体２０の後側の隣合うバンド部材１８、１９間の上部にはそれぞれ、例えば、水中にいる人がボート１３上に乗込むために使用するもので、人の手が把持可能な掴み部６２が設けられている。掴み部６２は皮ベルト又はロープの両端部をそれぞれ、図示しないバックアップ材を介してフロート本体２０に固定する構造としている。
【００３２】
次に、本考案の一実施の形態に係るサイドフロート装置のサイドフロート１０、１１をボート本体１２へ取付ける方法、ボート１３の使用方法及び作用について、図を参照しながら説明する。
【００３３】
（１）サイドフロート１０、１１のボート本体１２への取付け方法
図２（Ａ）、（Ｂ）及び図４に示すように、ボート本体１２の左の側板４５の舷側１４に、３個のバンド固定具２２の間隔と実質的に等しい間隔を有して、３個の取付け金具１６をそれぞれ６本のボルト３７により取付ける。取付け金具１６のボート本体１２への取付け位置は、取付けられたサイドフロート１０のフロート本体２０の下端がボート１３の喫水線よりも上方に配置される位置とする。なお、取付けベース２９の上端部のリング部材３２、下端部のリング部材３５はそれぞれ、上下になるように取付ける。
【００３４】
取付け金具１６の上下のリング部材３２、３５のバンド挿通部３１、３４にそれぞれ、バンド部材１８を通す。
予め注入口２６から空気入れ等によって、空気等の気体を注入して膨らませておいたサイドフロート１０を、船首側、船尾側を確認して、左の舷側１４に配設されたそれぞれの取付け金具１６の位置とバンド固定具２２の位置を合わせて配置する。
バンド部材１８をそれぞれのバンド固定具２２の挿通孔２１に通し、連結金具３９、４０を係合させて係合部４４を形成する。この際、係合部４４がサイドフロート１０の上部に位置するようにすると、連結金具３９、４０に水がかかり難くなる。
【００３５】
ボート本体１２の船首側及び船尾側のロープ取付け具５１に一端を固定したロープ２３、２４の他端をそれぞれ、サイドフロート１０のロープ固定具２５に取付けて、サイドフロート１０がバンド部材１８から抜けないように固定する。これにより、サイドフロート１０の取付けが完了する。
次に、前述と同様の方法で、サイドフロート１１をボート本体１２のサイドフロート１０と対称位置、即ち、右の舷側１５へ取付ける。
なお、上記工程を逆に行うことにより、サイドフロート１０、１１をボート１３から取り外すことができる。
【００３６】
（２）ボート１３の使用方法及び作用
ボート１３の走行を止めて釣りをする時には、図１に示すように、サイドフロート１０側又はサイドフロート１１側の係止具５５を介して竿掛５４を装着することができるので、釣り人５２が釣竿５３をボート本体１２の側板４５又は４６より外側にある竿掛５４に置くことができ、これにより、釣竿５３を釣りに相応しい位置に保持することができる。
【００３７】
また、例えば、釣り人５２が水中にいても、サイドフロート１０（１１も同じ）に設けられた掴み部６２を握って水中からボート１３に上がることができる。
更に、釣りを終えてボート１３を岸壁へ係留する場合には、岸壁からのロープを固定する係止具５５がクリートとして、従来のようにボート本体に設けられているのではなく、サイドフロート１０（１１も同じ）に設けられているので、岸壁側からのロープによる岸壁への固定作業が容易に行える。
【００３８】
ボート１３を走行させると、サイドフロート１０、１１のフロート本体２０の下端は、ボート１３の喫水線よりも上方に配置されているので、釣り人５２及び荷物等の位置がボート１３の重心位置（幅方向の中心位置）と略同じであれば、ボート１３の走行中にフロート本体２０は水に接触しない。従って、ボート１３の走行時にはフロート本体２０による水の抵抗はない。しかも、フロート本体２０の前端部（先部）は、円錐台状に形成されて先側に縮径しているので、空気抵抗も少なく、ボート１３の走行に支障はない。
【００３９】
また、ボート１３の走行中にフロート本体２０が、岩、木等の障害物に接触しても、フロート本体２０の両端部には、保護部材２７、２８が取付けられているので、フロート本体２０は破損しない。更に、サイドフロート１０、１１の船首側及び船尾側にそれぞれロープ固定具２５を設けているので、ボート１３の走行中にサイドフロート１０、１１が外れる心配はない。
図１に示すように、釣り人５２がボート本体１２の側板４５に接してボート１３の重心位置から少しずれてボート１３が傾いた場合でも、サイドフロート１０のフロート本体２０の下部が水中に漬かって浮力が働き、ボート１３は横転することはない。
【００４０】
本考案は、前記した実施の形態に限定されるものではなく、本考案の要旨を変更しない範囲での変更は可能であり、例えば、前記した実施の形態や変形例の一部又は全部を組み合わせて本考案のサイドフロート装置を構成する場合も本考案の権利範囲に含まれる。
本実施の形態では、船体の一例としてボート本体１２を用いたが、これに限定されず、必要に応じて、その他の船体を用いることもできる。また、ボート１３として、小型のレジャーボートを使用したが、中型のボートでもよく、ボート本体の大きさによって、フロート本体の大きさや数を変えて、ボートが傾いたときに、ボートが横転しないようにすることができる。
【００４１】
フロート本体２０は内部に気体が充填可能な軟質シート材で構成したが、これに限定されず、必要に応じて、その他の材質、例えば、ゴム材で構成することもでき、また、気体の充填の必要のない材質、例えば、プラスチック（ＦＲＰ）で構成することもできる。ＦＲＰで構成する場合には、バンド固定具、ロープ固定具、係止具及び掴み部はフロート本体と一体的に成形することができる。
フロート本体２０には、係止具５５の他に、掴み部６２を設けたが、これに限定されず、必要に応じて、掴み部を省略することもできる。また、掴み部６２は皮ベルト又はロープで形成したが、これに限定されず、その他の材質とすることができ、また、人の手で握ることができる構造であれば、その他の構造でもよい。
【００４２】
係止具５５には貫通孔５８にロープを通して止める直方体状の嵌入ブロック５６を設けたが、これに限定されず、必要に応じて、貫通孔のない構造、例えば、Ｔ字状又は逆Ｌ字状の係止具とすることもできる。
対となるサイドフロート１０、１１のフロート本体２０の両方に係止具５５及び掴み部６２を取付けたが、これに限定されず、必要に応じて、対となるフロート本体の一方にだけ係止具及び掴み部を取付けることもできる。
フロート本体２０の後部の断面形状を胴部と同一に形成したが、これに限定されず、必要に応じて、首部（前端部）と同様、縮径することもできる。
【００４３】
フロート本体２０には、気体の注入口２６を１個設けているが、フロート本体内部に気体を充填する複数の空気室を設け、それぞれの空気室に気体の注入口を設け、フロート本体の破損による被害を小さくすることもできる。
取付け金具１６のボート本体１２への取付け位置は、サイドフロート１０、１１の下端がボート１３の喫水線よりも上方に配置される位置としたが、これに限定されず、必要に応じて、ボート１３の喫水線よりも下方に配置される位置とすることもできる。
【図面の簡単な説明】
【００４４】
【図１】本考案の一実施の形態に係るサイドフロート装置を取付けたボートの斜視図である。
【図２】（Ａ）、（Ｂ）はそれぞれ、同サイドフロート装置の正面図、平面図である。
【図３】（Ａ）、（Ｂ）はそれぞれ、同サイドフロート装置を取付けたボートの正面図、平面図である。
【図４】同サイドフロート装置とボート本体との連結部の説明図である。
【図５】同サイドフロート装置の係止具の斜視図である。
【図６】同サイドフロート装置の係止具に装着される竿掛の斜視図である。
【符号の説明】
【００４５】
１０、１１：サイドフロート、１２：ボート本体、１３：ボート、１４、１５：舷側、１６、１７：取付け金具、１８、１９：バンド部材、２０：フロート本体、２１：挿通孔、２２：バンド固定具、２３、２４：ロープ、２５：ロープ固定具、２５ａ：リング部材、２５ｂ：バックアップ材、２５ｃ：取付ブロック、２６：注入口、２７、２８：保護部材、２９：取付けベース、３０：補強リブ、３１：バンド挿通部、３２：リング部材、３３：取付け板、３４：バンド挿通部、３５：リング部材、３６：取付け孔、３７：ボルト、３８：バンド本体、３９、４０：連結金具、４１：レバー、４２：ジョイント、４３：フック、４４：係合部、４５、４６：側板、４７：スクリュー、４８：舵、４９：エンジン、５０：船室、５１：ロープ取付け具、５２：釣り人、５３：釣竿、５４：竿掛、５５：係止具、５６：嵌入ブロック、５７：取付板、５８：貫通孔、５９：本体部、６０：嵌入部、６１：装着部、６２：掴み部
【図１】
0003114619.tif 000003
【図２】
0003114619.tif 000004
【図３】
0003114619.tif 000005
【図４】
0003114619.tif 000006
【図５】
0003114619.tif 000007
【図６】
0003114619.tif 000008